(57)【特許請求の範囲】
【請求項１】
両端を栓で塞いで掘削領域側に位置させ、壁厚方向の軸線部分と壁面方向の軸線部分とが隣接して形成された略コ字形のワイヤ挿通管が、切断領域を囲む状態で、予め装着されており、
前記壁厚方向の軸線部分と前記壁面方向の軸線部分との挟角が鈍角になっていることを特徴とする、地下連続壁。
【発明の詳細な説明】
【０００１】
【発明の属する技術分野】
本発明は、ワイヤソーの使用ができる地下連続壁に関する。
【０００２】
【従来の技術】
従来の地下連続壁では、構築後に一部を撤去する場合、該一部をジャイアントブレーカで取り壊すという方法か、又は該一部の周囲をウォールソーで切断するという方法やコアボーリングを並列させて周囲と縁切りする等の方法によって行われていた。
【０００３】
【発明が解決しようとする課題】
しかしながら、ジャイアントブレーカを用いた場合は、騒音や振動が非常に大きいので、都市部などで適用ができず、また、構造上、地下連続壁に悪影響を与えてしまうという問題がある。また、ウォールソーでは、壁厚が相当に大きい場合、壁体の後面まで貫通する切断ができないという問題がある。また、コアボーリングを並列させて周囲と縁切りする方法の場合は、作業の手間を多大に要するという問題がある。
【０００４】
そこで、これらの問題を回避し得る技術的手段として、ワイヤソーで該一部の周囲を切断するという方法が考えられる。
【０００５】
しかしながら、従来の地下連続壁では、背後が地山となっているので、ワイヤソーのワイヤで切断領域を囲むことができず、それ故に、ワイヤソーの使用ができない。
【０００６】
そこで、本発明の目的は、ワイヤソーの使用ができる地下連続壁を提供することにある。
【０００７】
【課題を解決するための手段】
前記目的を達成するために、本発明に係る地下連続壁は、両端を栓で塞いで掘削領域側に位置させ、壁厚方向の軸線部分と壁面方向の軸線部分とが隣接して形成された略コ字形のワイヤ挿通管が、切断領域を囲む状態で、予め装着されており、前記壁厚方向の軸線部分と前記壁面方向の軸線部分との挟角が鈍角になっていることを特徴としている。
【０００８】
ここに、ワイヤ挿通管とは、地下連続壁の構築に際して予め装着され、構築後の地下連続壁の切断に用いられるワイヤソーのワイヤが挿通される管をいう。ワイヤ挿通管としては、ワイヤソーで切断できるものであれば何でも良いが、パイプの切断面の裏側は切れていないので、簡単に引きちぎれる（破壊できる）材質が望ましい。例えば塩化ビニル管、ワインディングパイプ、極薄鋼管等を用いることができる。
【０００９】
従って、本発明によれば、ワイヤ挿通管が予め装着されている地下連続壁が実現するので、地山となっている壁体の背後においても、ワイヤソーのワイヤを挿通させ、切断領域を囲むことができることとなる。
【００１０】
そして、それ故に、背後が地山となっている状況のもとにおいても、ワイヤソーの使用を可能にするのである。
【００１１】
【発明の実施の形態】
以下、添付図面に示す実施の形態に基づいて本発明を詳細に説明する。
【００１２】
図１は本発明の一実施の形態に係る地下連続壁の概略構成を示す斜視図、図２は該地下連続壁の詳細構成を示す平面図である。
【００１３】
本実施の形態における地下連続壁３は、図１に示すように、コ字形のワイヤ挿通管１が、該両端１１を掘削領域側に位置させ切断領域２を囲む状態で、予め装着されている構成となっている。
【００１４】
ここで、複数のワイヤ挿通管１（第一ワイヤ挿通管１ａ、第二ワイヤ挿通管１ｂ、第三ワイヤ挿通管１ｃ、第四ワイヤ挿通管１ｄ）は、図１示すように、該両端１１を掘削領域側に位置させ切断領域２（第一切断領域２ａ、第二切断領域２ｂ、第三切断領域２ｃ、第四切断領域２ｄ）を囲む状態で装着されたものとなっている。ワイヤソーを掘削領域側に据え付けて壁体の切断作業を行う必要がある点、及びそのような切断作業を実現させるには、地山となっている壁体の背後においてもワイヤソーのワイヤ（図示外）を挿通させ、切断領域２を囲む必要がある点を考慮したためである。
【００１５】
ここに、第一切断領域２ａは、第一ワイヤ挿通管１ａを用いたワイヤソー（図示外）で切断され、第二切断領域２ｂは、第二ワイヤ挿通管１ｂを用いたワイヤソーで切断され、第三切断領域２ｃは、第三ワイヤ挿通管１ｃを用いたワイヤソーで切断され、第四切断領域２ｄは、第四ワイヤ挿通管１ｄを用いたワイヤソーで切断される。これらの結果、台形の切断領域２が切断されることとなる。
【００１６】
また、ワイヤ挿通管１は、図１に示すように、地下連続壁３のコンクリート打設の前に予め装着されている構成になっている。コンクリートの硬化後に壁体を削孔する等したとしても、地山となっている壁体の背後においてワイヤ挿通管１を装着することは実際上相当に困難と考えられることから、予め装着することとしたものである。
【００１７】
ここに、「予め装着」とは、理論上、コンクリートが硬化するよりも前のタイミングで装着されることを意味するが、通常、安定液を用いた掘削後コンクリートの打設前のタイミングで装着されることを意味することになる。
【００１８】
ワイヤ挿通管１は、具体的には、クレーンにより掘削孔の安定液中に吊り降ろされていく鉄筋駕籠１２に対して順次番線等１３で装着されていくものである（図２参照）。尚、ワイヤ挿通管１の装着タイミングは、鉄筋駕籠１２の建て込みが行われている時に限られず、鉄筋駕籠１２が陸で組み立てられている時であっても差し支えない。
【００１９】
更に、ワイヤ挿通管１は、図２に示すように、両端１１を栓１４で塞いだ状態で装着されている。ワイヤ挿通管１がコンクリートが硬化する前に装着されて安定液中やフレッシュコンクリート中におかれるものであるところ、かかる安定液やフレッシュコンクリートの浸入を防ぎ、ワイヤソーのワイヤの挿通路としての機能を確保する必要があるからである。尚、浸入を防ぐものであれば、例えば硬質のグリース等を充填する方法を用いても良い。
尚、図１及び図２では、両端１１は、地下連続壁３から突出して配置しているが、別段これに限ることなく、壁面の中にあっても良い。その場合は、内部掘削後、ワイヤ挿通管１の両端１１付近のコンクリートをハツリ取って開口する。このようにした場合は、ガイドウォール等の通過時の妨げとならない利点がある。また、図２に示すように、地下連続壁３の後側の深さ方向に平行する部分のワイヤ挿通管１に平行して、予め型枠１５を該ワイヤ挿通管１の切断領域２側の部分に接するように設置した場合は、地下連続壁３のコンクリートを切断した場合に、切断により縁が切れた壁体の一部３ａを容易に取り出すことができる。
尚、型枠１５の材質は、ワイヤソーによる切断を容易にするために、木質材料、発砲スチロール等の合成樹脂製などの板材から選択すると良い。
【００２０】
さらに、型枠１５と地山Ｊとの間隙に、フレッシュコンクリートの回り込みが予想される場合は、予め、該間隙部分に撤去の容易な発泡スチロール等からなるバックアップ材（図示しない）を詰めて、これを防止しても良い。
【００２１】
従って、本実施の形態に係る地下連続壁３によれば、ワイヤ挿通管１が予め装着されているので、地山となっている壁体の背後においても、ワイヤソーのワイヤを挿通させ、切断領域２を囲むことができる。
【００２２】
その結果、背後が地山となっている状況のもとにおいても、ワイヤソーの使用ができるということになる。
【００２３】
尚、本実施の形態では、図２に示すように、ワイヤ挿通管１の両端１１から突出した状態で挿通され、硬化後の地下連続壁３の切断に際してワイヤソーのワイヤを引き込むための紐状部材であるメッセンジャー１６を備えている。これにより、ワイヤ挿通管１の中にワイヤソーのワイヤを挿通させる作業が容易かつ迅速に行えることとなる。
【００２４】
また、図１に示すように、ワイヤ挿通管１のうち、壁厚方向の軸線を描く部分と、壁面方向（壁の深さ方向）の軸線を描く部分との間に形成される挟角Ａが鈍角になっている。これにより、ワイヤソーによる切断領域２の切断後、切断により縁が切れた壁体の一部３ａを前側に撤去する作業が容易かつ迅速に行えることとなる。
【００２５】
【発明の効果】
本発明に係る地下連続壁によれば、以上のように構成したため、ワイヤソーの使用が可能になる。
【図面の簡単な説明】
【図１】本発明の一実施の形態に係る地下連続壁の概略構成を示す斜視図である。
【図２】本発明の一実施の形態に係る地下連続壁の詳細構成を示す平面図である。
【符号の説明】
１…ワイヤ挿通管
１ａ…第一ワイヤ挿通管
１ｂ…第二ワイヤ挿通管
１ｃ…第三ワイヤ挿通管
１ｄ…第四ワイヤ挿通管
２…切断領域
２ａ…第一切断領域
２ｂ…第二切断領域
２ｃ…第三切断領域
２ｄ…第四切断領域
３…地下連続壁
３ａ…壁体の一部
１１…両端
１２…鉄筋駕籠
１３…番線等
１４…栓
１５…型枠
１６…メッセンジャー
Ｊ…地山
Ａ…挟角
【図１】
0004197383.tif 000002
【図２】
0004197383.tif 000003